(57)【要約】【課題】  商品や部品構成を考慮して、設計者が確認すべき有効な設計情報を閲覧しやすい形式で確実に提供することができる設計図面管理システムを提供する。【解決手段】  設計図面管理システムは、設計図面データベース１１に記憶されている設計図面ファイルから抽出した注記情報と、構成情報記憶部１２に記憶されている構成情報に基づいて算出した各部品について使用されている商品数とに基づいて、各設計図面ファイルに関連する検索情報を生成する検索情報生成部１３と、この検索情報に基づいて、検索キーワードに基づいて設計情報データベース１１から検索した各設計図面が上位に表示されるように検索結果を並べ替えて出力する検索処理部１６とを備える。【選択図】      図１
2009003536.tif 000002
【特許請求の範囲】
【請求項１】
商品を構成する部品の設計図面を管理する設計図面管理システムにおいて、
注記情報が文字データとして記述されている各部品の設計図面を電子的に記憶する設計情報データベースと、
商品及び部品間の親子関係を示す構成情報を記憶する構成情報記憶部と、
前記設計図面に関連する検索情報を生成する検索情報生成部と、
入力された検索キーワードに基づいて、前記設計情報データベースから設計図面を検索する検索処理部と、
前記検索処理部による検索結果を出力する出力部とを備え、
前記検索情報生成部は、前記設計図面データベースに記憶されている設計図面に記述されている前記注記情報を抽出するとともに、前記構成情報記憶部に記憶されている前記構成情報に基づいて、各部品について、各部品が使用されている商品数を算出し、抽出した前記注記情報と算出した前記商品数とに基づいて、各設計図面に関連する検索情報を生成し、
前記検索処理部は、前記検索情報生成部によって生成された前記検索情報に対して前記検索キーワードに基づく設計図面の検索を行い、検索された設計図面のうち前記注記情報が含まれ且つ商品数が多い部品の設計図面が上位に表示されるように検索結果を並べ替え、前記出力部を介して出力することを特徴とする設計図面管理システム。
【請求項２】
前記構成情報記憶部には、商品毎に、当該商品を構成する部品を記述した商品基準の構成情報が記憶されており、
前記検索情報生成部は、前記構成情報記憶部に記憶されている前記構成情報を、部品毎に当該部品が使用されている商品を記述した部品基準の構成情報に変換し、各部品について使用されている商品数を算出すること
を特徴とする請求項１に記載の設計図面管理システム。
【請求項３】
前記検索情報生成部は、前記設計図面内において前記注記情報が記述されている位置に応じて重み付けして前記検索情報を生成し、
前記検索処理部は、前記検索情報生成部によって生成された前記検索情報に基づいて、重要レベルが高い位置に前記注記情報が記述されていた設計図面が上位に表示されるように検索結果を並び替えることを特徴とする請求項１に記載の設計図面管理システム。
【請求項４】
前記注記情報として前記設計図面に記載される重要語句を記憶する重要語句記憶部をさらに備え、
前記検索情報生成部は、前記重要語句記憶部に記憶されている前記重要語句が含まれている前記注記情報について重み付けして前記検索情報を生成し、
前記検索処理部は、前記検索情報生成部によって生成された前記検索情報に基づいて、重み付けに応じて前記重要語句が含まれている設計図面が上位に表示されるように検索結果を並び替えることを特徴とする請求項１に記載の設計図面管理システム。
【発明の詳細な説明】
【技術分野】
【０００１】
本発明は、商品を構成する部品の設計図面を管理する設計図面管理システムに関する。
【背景技術】
【０００２】
従来から、商品を構成する部品の設計図面は、ＣＡＤ（Computer-Aided Design）を用いて作成することが多く、電子的なＣＡＤファイルとして記憶し、管理するのが通常である。このような管理システムは、ＣＡＤファイルを作成した際に、製品番号等の設計情報を検索キーワードとして当該ＣＡＤファイルの表題欄等に記述しておく。これにより、設計図面は、その検索キーワードとして抽出された設計情報に基づいて、所望のＣＡＤファイルを検索することが可能に構成されている。
【０００３】
また、このような管理システムにおいては、ＣＡＤファイルを検索しようとする設計者の端末機に当該ＣＡＤファイルの内容を簡便に表示させるために、ＣＡＤファイルをＴＩＦＦ（Tag Image File Format）ファイル等の汎用フォーマットのファイルに変換する技術も提案されている（例えば、特許文献１等参照。）。
【特許文献１】特開２００２−３５８３３６号公報
【発明の開示】
【発明が解決しようとする課題】
【０００４】
しかしながら、上述した特許文献１をはじめとする従来の管理システムにおいては、ＣＡＤファイルを他のフォーマットのファイルに変換するのにともない、ＣＡＤファイル上に文字データとして記述されている設計情報の変換精度の低下や、その設計情報の欠落等の不具合を招来することがあり、設計者の端末機に有効な設計情報を表示させることができない場合があった。
【０００５】
また、従来の管理システムにおいては、ＣＡＤファイルを他のフォーマットのファイルに変換せずに検索した場合には、検索されるＣＡＤファイル数が膨大となることから、一括処理を行うことができなかった。そのため、単純にグループ化してから集約する等の処理を別途行うことも考えられるが、このような処理は、設計者の端末機に有効な設計情報を効率よく表示させることができるものではなかった。
【０００６】
そこで、本発明は、上述したような問題を解決するために案出されたものであり、ＣＡＤファイルを他のフォーマットのファイルに変換することなく、商品や部品構成を考慮して、設計者が確認すべき有効な設計情報を閲覧しやすい形式で確実に提供することができる設計図面管理システムを提供することを目的とする。
【課題を解決するための手段】
【０００７】
本発明に係る設計図面管理システムは、商品を構成する部品の設計図面を管理するものであって、注記情報が文字データとして記述されている各部品の設計図面を電子的に記憶する設計情報データベースと、商品及び部品間の親子関係を示す構成情報を記憶する構成情報記憶部と、設計図面に関連する検索情報を生成する検索情報生成部と、入力された検索キーワードに基づいて、設計情報データベースから設計図面を検索する検索処理部と、検索処理部による検索結果を出力する出力部とを備える。
【０００８】
このような設計図面管理システムは、検索の前処理として、検索情報生成部によって、設計図面データベースに記憶されている設計図面に記述されている注記情報を抽出するとともに、構成情報記憶部に記憶されている構成情報に基づいて、各部品について、各部品が使用されている商品数を算出し、抽出した注記情報と算出した商品数とに基づいて、各設計図面に関連する検索情報を生成しておく。そして、本発明に係る設計図面管理システムは、上述の課題を解決するために、検索処理部によって、検索情報生成部によって生成された検索情報に対して検索キーワードに基づく設計図面の検索を行い、検索された設計図面のうち注記情報が含まれ且つ商品数が多い部品の設計図面が上位に表示されるように検索結果を並べ替え、出力部を介して出力する。
【発明の効果】
【０００９】
本発明に係る設計図面管理システムによれば、設計図面ファイルを他のフォーマットのファイルに変換することなく、商品や部品構成を考慮して、設計者が確認すべき有効な注記情報を閲覧しやすい形式で確実に提供することができ、設計者が確認すべき注記情報を漏れなくチェックすることが可能となる。
【発明を実施するための最良の形態】
【００１０】
以下、本発明の実施の形態について図面を参照して説明する。
【００１１】
［設計図面管理システムの構成］
本発明を適用した設計図面管理システムは、図１に示すように、商品を構成する部品の設計図面を電子的に記憶する設計図面データベース１１と、商品及び部品間の親子関係を示す構成情報を記憶する構成情報記憶部１２と、設計図面に関連する検索情報を生成する検索情報生成部１３と、この検索情報生成部１３によって生成された検索情報を記憶する検索情報記憶部１４と、検索キーワードを入力する入力部１５と、検索キーワードに基づいて検索を行う検索処理部１６と、この検索処理部１６による検索結果を出力する出力部１７とを備える。
【００１２】
設計図面データベース１１は、商品を構成する部品の設計図面をＣＡＤ（Computer-Aided Design）等の所定フォーマットのファイルとして記憶する。なお、設計図面ファイルには、製品番号等の設計情報や設計者に喚起を促す付記情報といった注記情報が記載された当該設計図面データを含む。この設計図面データベース１１に記憶されている設計図面ファイルは、検索情報生成部１３によって読み出される。
【００１３】
構成情報記憶部１２は、別途入力された商品や部品の構成情報ＩＭ１、すなわち、各部品の親子関係を示す構成情報を記憶する。なお、商品や部品の構成情報ＩＭ１は、各商品について当該商品を構成するためにどの部品が使用されているのかを例えばツリー状に列挙した情報である。構成情報記憶部１２は、このような商品や部品の構成情報ＩＭ１をデータベースとして記憶する。この構成情報記憶部１２に記憶された構成情報は、検索情報生成部１３によって読み出される。
【００１４】
検索情報生成部１３は、設計図面データベース１１に記憶されている設計図面ファイルを読み出し、その設計図面ファイルに文字として記述されている注記情報を抽出する。また、検索情報生成部１３は、構成情報記憶部１２に記憶されている構成情報に基づいて、各部品について、当該各部品が使用されている商品数を算出する。
【００１５】
具体的には、検索情報生成部１３は、構成情報記憶部１２に記憶されている構成情報を読み出し、部品基準の構成情報に変換することにより、各部品が使用されている商品数を算出する。すなわち、検索情報生成部１３は、商品毎に当該商品を構成する部品を記述した商品基準の構成情報を、部品毎に当該部品が使用されている商品を記述した部品基準の構成情報に変換する。例えば、検索情報生成部１３は、図２に示すように、構成情報記憶１２から読み出した構成情報に、２つの部品ａ，ｂを使用して構成された商品Ａと、２つの部品ａ，ｃを使用して構成された商品Ｂとが含まれている場合には、２つの商品Ａ，Ｂに使用される部品ａ、１つの商品Ａに使用される部品ｂ、といったように、部品基準の構成情報に変換する。なお、検索情報生成部１３は、部品が複数の子部品から構成される場合にも、同様にして、子部品基準の構成情報に変換する。検索情報生成部１３は、このような変換処理を行うことにより、各部品について使用されている商品数を算出すると、抽出した注記情報、算出した商品数及び設計図面を含む検索情報を生成し、検索情報記憶部１４に記憶させる。
【００１６】
検索情報記憶部１４は、例えばメモリ等からなり、検索情報生成部１３によって生成された検索情報を記憶する。この検索情報記憶部１４に記憶された検索情報は、検索処理部１６によって読み出される。
【００１７】
入力部１５は、設計者が検索要求を行う際に、自己の端末機を操作することによって入力した検索キーワードを受け付ける。入力部１５は、入力された検索キーワードを検索処理部１６に供給する。
【００１８】
検索処理部１６は、入力部１５から入力された検索キーワードに基づいて、設計図面ファイルを検索する。このとき、検索処理部１６は、検索情報記憶部１４に記憶されている検索情報に基づいて、検索された各設計図面ファイルに評点を与える。具体的には、検索処理部１６は、検索された設計図面ファイルのうち、使用されている商品数が多い部品についての設計図面ファイルや、注記情報が含まれている部品についての設計図面ファイルに高い評点を与える。そして、検索処理部１６は、評点が高い部品についての設計図面ファイルが上位に表示されるように検索結果を並べ替え、評点が高い部品についての設計図面ファイルから先に表示されるような検索表示情報ＩＭ２を作成する。
【００１９】
なお、設計図面ファイルに与える評点は、注釈情報を含み且つ商品数が多い重要な設計図面ファイルが検索結果において上位に表示されるものであれば、高低は関わりない。
【００２０】
例えば、検索処理部１６は、図３に示すように、設計者が検索キーワードαを入力して検索要求した場合には、その検索キーワードαが注記情報として含まれる部品についての設計図面ファイルを検索し、３つの部品ａ，ｂ，ｃについての設計図面ファイルが検索されたとする。このとき、検索処理部１６は、検索された部品ａ，ｂ，ｃのうち、使用されている商品数が最も多い部品ａについての設計図面ファイルに高い評点を与え、その部品ａについての設計図面ファイルが上位の（１）に表示されるような検索表示情報ＩＭ２を作成する。また、商品ｂ、ｃについての設計図面ファイルは、部品ａよりも下位の（２）、（３）に表示される。検索処理部１６は、このようにして作成した検索表示情報ＩＭ２を出力部１７に供給する。
【００２１】
出力部１７は、検索処理部１６によって作成された検索表示情報ＩＭ２を設計者の端末機に表示させるように、当該検索表示情報ＩＭ２を出力する。
【００２２】
［設計図面管理システムの動作］
このような設計管理システムは、設計者が自己の端末機を操作することによって入力した検索キーワードを、入力部１５を介して受け付けると、検索処理部１６による検索キーワードに基づく設計図面ファイルの検索を行う。このとき、検索情報生成部１３は、検索処理部１６によって検索表示情報ＩＭ２を作成するために、図４に示すような一連の処理を行うことにより、検索情報を生成する。
【００２３】
まず、検索情報生成部１３は、ステップＳ１において、構成情報記憶部１２に記憶されている構成情報を読み出して部品基準の構成情報に変換する。また、検索情報生成部１３は、ステップＳ２において、検索対象の設計図面ファイルの数を設計図面データベース１１から取得するとともに、ステップＳ３において、検索対象となる１つの設計図面ファイルを設計図面データベース１１から読み出す。
【００２４】
続いて、検索情報生成部１３は、ステップＳ４において、ステップＳ３にて読み出した設計図面ファイルに記述されている注記情報を抽出すると、ステップＳ５において、ステップＳ１にて変換して生成した部品基準の構成情報と、ステップＳ４にて抽出した注記情報とに基づいて、設計図面ファイルに関連する検索情報を生成し、検索情報記憶部１４に記憶させる。
【００２５】
そして、検索情報生成部１３は、ステップＳ６において、検索情報を生成すべき設計図面ファイルが残っているか否か、すなわち、検索対象となった設計図面ファイルのうち、ステップＳ３乃至ステップＳ５の処理を行っていない設計図面ファイルがあるか否かを判定する。検索情報生成部１３は、検索情報を生成すべき設計図面ファイルが残っている場合には、ステップＳ３からの処理を繰り返し、検索対象となった全ての設計図面ファイルについての処理を行い、検索情報を生成すると、一連の処理を終了する。
【００２６】
設計図面管理システムは、検索情報生成部１３によってこのような一連の処理を行うことにより、設計者が入力した検索キーワードに基づいて検索された設計図面ファイルを、使用されている商品数が多い部品や注記情報が含まれている部品についての設計図面ファイル、すなわち、設計者が確認すべき重要度が高い部品についての設計図面ファイルが上位に表示されるように並べ替えて出力することができる。
【００２７】
なお、設計図面管理システムにおいては、検索情報生成部１３によって検索情報を生成する際に、設計図面ファイルに注記情報が含まれているか否かのみの情報に基づいて検索情報を生成するのではなく、注記情報が含まれている場合に重み付けを行うことにより、検索処理部１６による検索表示情報ＩＭ２の作成を行う際に、重み付けに応じた評点を与え、より細かな順位付けをともなう検索結果を提示することが可能となる。
【００２８】
具体的には、検索情報生成部１３は、設計図面ファイル内において注記情報が記述されている位置に応じて重み付けを行い、検索情報を生成することができる。そして、検索処理部１６は、重要レベルが高い位置に注記情報が記述されていた部品についての設計図面ファイルに高い評点を与え、検索された設計図面ファイルのうち、高い評点の設計図面ファイルが上位に表示されるような検索表示情報ＩＭ２を作成する。
【００２９】
例えば、検索情報生成部１３は、図５に示すように、設計図面１００内において目立つ領域を重要レベルが高い領域とするといったように、設計図面１００内における領域を複数の重要レベル１〜３の領域１０１〜１０３に区分けしておき、重要レベルが高い領域に注記情報が記述されている場合に、その注記情報に重み付けを行う。そして、検索処理部１６は、例えば図６に示すように、検索キーワードαが注記情報として含まれる部品についての設計図面ファイルとして、３つの部品ａ，ｂ，ｃについての設計図面ファイルが検索された場合に、重要レベルが高い領域に注記情報が記述されていた部品ａについての設計図面ファイルに高い評点を与え、その部品ａについての設計図面ファイルが上位の（１）に表示されるような検索表示情報ＩＭ２を作成する。
【００３０】
これにより、設計図面管理システムにおいては、設計図面ファイル内において目立つ位置に注記情報が記述されている場合等を、設計者が確認すべき重要度が高い場合であるとした検索を行うことができ、より細かな順位付けをともなう検索結果を提示することができる。
【００３１】
また、設計図面管理システムにおいては、例えば語句「重要！」等、注記情報として使用される重要語句を予め規定しておき、検索情報生成部１３によって検索情報を生成する際に、重要語句が含まれている注記情報について重み付けを行っても良い。これにより、検索処理部１６による検索表示情報ＩＭ２の作成を行う際に、重み付けに応じた評点を与えることができる。
【００３２】
具体的には、検索情報生成部１３は、注記情報として使用される重要語句を記憶する図示しない重要語句記憶部を参照し、例えば図７に示すように、重要語句記憶部に記憶されている重要語句が含まれている注記情報１１０が設計図面１００に記述されている場合に、その注記情報１１０に重み付けを行う。そして、検索処理部１６は、例えば図８に示すように、検索キーワードαが注記情報として含まれる部品についての設計図面ファイルとして、３つの部品ａ，ｂ，ｃについての設計図面ファイルが検索された場合に、重要語句が含まれている注記情報が記述されていた部品ａについての設計図面ファイルに高い評点を与え、その部品ａについての設計図面ファイルが上位に表示されるような検索表示情報ＩＭ２を作成する。
【００３３】
これにより、設計図面管理システムにおいては、「重要！」等の喚起を促すような注記情報について、設計者が見落としすることなく設計作業を行うことが可能となる。
【００３４】
［実施形態の効果］
以上詳細に説明したように、本発明の実施形態に係る設計図面管理システムは、検索情報生成部１３により、設計図面データベース１１に記憶されている設計図面ファイルから抽出した注記情報と、構成情報記憶部１２に記憶されている構成情報に基づいて算出した各部品について使用されている商品数とに基づいて、各設計図面ファイルに関連する検索情報を生成し、この検索情報に基づいて、検索処理部１６により、検索キーワードに基づいて設計情報データベース１１から検索した各設計図面が上位に表示されるように検索結果を並べ替えて出力する。
【００３５】
したがって、この設計図面管理システムによれば、設計図面ファイルを他のフォーマットのファイルに変換することなく、商品や部品構成を考慮して、設計者が確認すべき有効な設計図面を閲覧しやすい形式で確実に確認させることができる。すなわち、この設計図面管理システムによれば、多くの商品から参照されている部品であって重要な注記情報を含む設計図面をより重要な設計図面として検索結果を出力することができ、設計図面のチェック時の効率を上げることができ、重大な箇所の見落としをなくすことができる。
【００３６】
なお、この設計図面管理システムにおいて、構成情報記憶部１２に、商品毎に当該商品を構成する部品を記述した商品基準の構成情報を記憶しておくことにより、検索情報生成部１３は、構成情報記憶部１２に記憶されている構成情報を、部品毎に当該部品が使用されている商品を記述した部品基準の構成情報に変換し、各部品について使用されている商品数を算出することができる。
【００３７】
したがって、この設計図面管理システムによれば、既存の構成情報を利用して効率よく各部品について使用されている商品数を算出することができる。
【００３８】
また、この設計図面管理システムは、検索情報生成部１３により、設計図面ファイル内において注記情報が記述されている領域に応じて重み付けして検索情報を生成し、検索処理部１６により、検索情報生成部１３によって生成された検索情報に基づいて、重要レベルが高い領域に注記情報が記述されていた設計図面ファイルに高い評点を与えることもできる。
【００３９】
これにより、この設計図面管理システムによれば、設計図面ファイル内において目立つ領域に注記情報が記述されている場合等を、設計者が確認すべき重要度が高い場合であるとした検索を行うことができ、より細かな順位付けをともなう検索結果を提示することができる。
【００４０】
さらに、この設計図面管理システムは、検索情報生成部１３により、重要語句が含まれている注記情報について重み付けして検索情報を生成し、検索処理部１６により、検索情報生成部１３によって生成された検索情報に基づいて、重み付けに応じた評点を設計図面ファイルに与えるようにしてもよい。
【００４１】
これにより、設計図面管理システムにおいては、重要度が高い注記情報について、設計者が見落としすることなく設計作業を行うことが可能となる。
【００４２】
なお、上述の実施の形態は本発明の一例である。このため、本発明は、上述の実施形態に限定されることはなく、この実施の形態以外であっても、本発明に係る技術的思想を逸脱しない範囲であれば、設計等に応じて種々の変更が可能であることは勿論である。
【図面の簡単な説明】
【００４３】
【図１】本発明を適用した設計図面管理システムの構成を示すブロック図である。
【図２】本発明を適用した設計図面管理システムにおける検索情報生成部が、商品基準の構成情報を部品基準の構成情報に変換する処理の具体例について説明する図である。
【図３】本発明を適用した設計図面管理システムにおける検索処理部が作成する検索表示情報の具体例を示す図である。
【図４】本発明を適用した設計図面管理システムにおける検索情報生成部が検索情報を生成する際の一連の処理を示すフローチャートである。
【図５】本発明を適用した設計図面管理システムにおいて、設計図面ファイル内における位置を複数の重要レベルに区分けした様子を示す図である。
【図６】本発明を適用した設計図面管理システムにおける検索処理部が作成する検索表示情報の具体例を示す図であり、注記情報が記述されている位置に応じて重み付けされた検索情報に基づいて作成された検索表示情報の具体例を示す図である。
【図７】本発明を適用した設計図面管理システムにおいて、設計図面ファイルに重要語句が含まれている注記情報が記述されている様子を示す図である。
【図８】本発明を適用した設計図面管理システムにおける検索処理部が作成する検索表示情報の具体例を示す図であり、重要語句が含まれている注記情報に重み付けした検索情報に基づいて作成された検索表示情報の具体例を示す図である。
【符号の説明】
【００４４】
１１  設計図面データベース
１２  構成情報記憶部
１３  検索情報生成部
１４  検索情報記憶部
１５  入力部
１６  検索処理部
１７  出力部
【図１】
2009003536.tif 000003
【図２】
2009003536.tif 000004
【図３】
2009003536.tif 000005
【図４】
2009003536.tif 000006
【図５】
2009003536.tif 000007
【図６】
2009003536.tif 000008
【図７】
2009003536.tif 000009
【図８】
2009003536.tif 000010